(57)【要約】【課題】簡単で安価なツイントイレットペーパロールディスペンサを提供する。【解決手段】後部壁、上部壁および側壁を備えたハウジングと、ハウジングに回転可能に接続されたカバーと、ハウジングの後部壁に取付けられた１対の回転可能スピンドルと、ハウジングの後部壁に滑動可能に結合され、スピンドルの下方に位置する滑動可能パネルとを有する、トイレットペーパディスペンサである。滑動可能パネルは、一方のスピンドルに設けられた１ロールのトイレットペーパを利用できるようにし、もう一方のスピンドルに設けられた別の１ロールのトイレットペーパが利用できないようにするために、ハウジングの一方側から他方側へと動くことが可能である。１対のノブは、カバーの前面に回転可能に取付けられ、それぞれスピンドルに結合され、滑動可能パネルが各スピンドルと反対側のディスペンサの側にあるとき、各スピンドルを回転させるよう動作する。【選択図】        図１
2004313261.tif 000002
【特許請求の範囲】
【請求項１】
トイレットペーパディスペンサであって、
（ａ）  後部壁、上部壁および側壁を有するハウジングと、
（ｂ）  前記ハウジングに回動可能に接続されたカバーと、
（ｃ）  前記カバー内部のトイレットペーパロール係合要素を有する前記カバーに取付けられた１対の回転可能ノブと、
（ｄ）  前記ハウジングの後部壁に取付けられ、前記回転可能ノブと軸方向に整列するようにされた１対の回転可能スピンドルとを含み、前記スピンドルおよび対応する前記トイレットペーパロール係合要素はそれらの間のトイレットペーパロールと回転可能に係合するように位置決めされ、前記トイレットペーパディスペンサはさらに、
（ｅ）  前記ハウジングの後部壁に滑動可能に結合され、前記スピンドルの下方に位置する滑動可能パネルを含み、前記滑動可能パネルは、前記スピンドルの一方に取付けられたトイレットペーパロールを利用できるように露出させ前記スピンドルのもう一方に取付けられた別のトイレットペーパロールが利用できないようにするために、前記ハウジングの一方側から他方側へ動くことが可能であり、前記トイレットペーパディスペンサはさらに、
（ｆ）  前記スピンドル下方で前記ハウジングの後部壁に取付けられ、前記トイレットペーパロールのうち１ロールのみを露出させ別のロールが利用できないようにするために、前記ディスペンサの一方側から他方側へ動くことが可能な滑動可能パネルを含む、トイレットペーパディスペンサ。
【請求項２】
前記滑動可能パネルは、前記一方側にあるとき空ではないトイレットペーパロールに接する突出板を有し、前記ロールが空になるまで前記他方側への前記板の動きが妨げられる、請求項１に記載のディスペンサ。
【請求項３】
前記滑動可能パネルは、前記パネルの動きとともに動く棒を有し、前記一方側の位置では、前記スピンドルの対応する一方を固定し、前記他方側の位置では、前記スピンドルのもう一方を固定する、請求項１に記載のディスペンサ。
【請求項４】
前記カバーはその内部表面上に傾斜ブラケットを有し、前記傾斜ブラケットは、一旦前記パネルが前記傾斜ブラケットを通過すると、復帰運動を妨げる、請求項１に記載のディスペンサ。
【請求項５】
前記パネルが前記ディスペンサの前記一方側に向って付勢されたときに偶然に解放された場合に前記パネルを減速するよう動作するブレーキ要素を含む、請求項１に記載のディスペンサ。
【発明の詳細な説明】
【０００１】
【分野】
この発明は、２ロールのトイレットペーパを保持し、１度に１ロールから供給する種類の、トイレットペーパを供給するためのティッシュディスペンサに関する。
【０００２】
【背景】
既知のツインまたはデュアルロールトイレットペーパディスペンサは、支え壁に平行であるが支え壁から間隔を空けたスピンドル、または壁に垂直なスピンドルを用いて複数のトイレットロールを収容する。後者の種類の場合、カバーを閉じた状態でハウジングの外部からロールを回転させるための対応がなされていなくても、なされていても、使用されていないロールの回転を制限し、ハウジングの内部をティッシュペーパで満たす方法はない。
【０００３】
既知のツインロールディスペンサの中には、１つのロールの下方の位置から隣接したロールの下方の位置に滑動する滑動パネルによって制御された底部からロールを利用できるようにするものがある。既知の滑動パネルは、ハウジング裏面から支持され、かつハウジングの一方側から他方側へ延在する前面の長手部材によって支持されている。そのような長手部材は、壊れやすく、より複雑で高価な構造となる傾向がある。既知の滑動パネルのもう１つの特徴は、最初の位置から最終的な位置へのパネルの動きを抑える傾向のあるバイアスがないことである。その結果として、パネルに加えられた何らかの力によって、パネルが偶然に一方側から他方側へ動くという結果が容易に生じる可能性がある。
【０００４】
したがって、この発明の目的は、簡単で安価なツインペーパロールディスペンサを提供することである。この発明の他の目的は、ハウジングの前面に沿った滑動パネル支持部材の必要性を避けるツインペーパロールディスペンサを提供することである。この発明のさらに他の目的は、一方のスピンドルを固定すると同時に、他方のスピンドルが自由にトイレットペーパを供給するための手段を提供することである。
【０００５】
【発明の概要】
後部壁、上部壁および側壁を備えたハウジングと、ハウジングに回転可能に接続されたカバーと、ハウジングの後部壁に取付けられた１対の回転可能スピンドルと、ハウジングの後部壁に滑動可能に結合され、スピンドルの下方に位置する滑動可能パネルとを有する、トイレットペーパディスペンサである。滑動可能パネルは、一方のスピンドルに設けられた１ロールのトイレットペーパを利用できるようにし、もう一方のスピンドルに設けられた別の１ロールのトイレットペーパが利用できないようにするために、ハウジングの一方側から他方側へと動くことが可能である。１対のノブは、カバーの前面に回転可能に取付けられ、それぞれスピンドルに結合され、滑動可能パネルが各スピンドルと反対側のディスペンサの側にあるとき、各スピンドルを回転させるよう動作する。
【０００６】
この発明の特徴は、請求の範囲において特に指摘されるが、発明そのもの、および発明が製造され使用される態様は、この発明の一部を成し、同じ参照番号が同じ部分を指す添付の図面と関連して考慮される以下の説明を参照することによってよりよく理解されるであろう。
【０００７】
【図面を参照した詳細な説明】
図１を参照して、ディスペンサ１１は、ハウジング１０と、ディスペンサ１１底部のハウジング１０の両面にピボットピン４２でハウジングに回動可能に取付けられたカバー２０とからなる。トイレットペーパロール１７はディスペンサ１１内部のスピンドル１２および１４（図２参照）に取付けられる。ノブ２７は、スピンドルに結合され、回転させると、スピンドル１２および１４が後部から固定されているとき以外は、両スピンドルを回転させる。滑動可能パネル２４は、ノブ３４に力を加えることによって一方側から他方側へ動かされる。一旦ロールが空になれば、使用者は単に滑動可能パネル２４を他方の側へ動かして、第２のロールを露出させて使用することができる。
【０００８】
図２を参照して、ハウジング１０の後部は、２つの上部分２１および２３ならびに部分２１に関して外向きにずらされた下部分２０からなり、２つの部分の間に、水平方向の長手のスロット４３（図３参照）が残されている。下側の、水平方向に整列する長手のスロット３２は、中央の小さな領域を除いて、ハウジングの後部全体に延在する。滑動パネル２４は、下部に位置する突出握り３４およびスピンドル１４の僅か下まで延在する突出板３８を有する。図３に見られるように、パネル２４の側面の端の内側に取付けられた１対のピン５１は、パネル２４の両端でスロット３２を通して延在し、スロット３２内で小さなフランジ（図示せず）によって保持される。板３８は上部分にスロットを有し、内部のスロットのある部分はスロット４３を通して延在し、パネルを保持し、パネルが下方へ回転するのを防ぐ。長手の歯付き内部エッジ２６は歯車２８と係合し、パネルが右から左への動きの途中で解放されかつ付勢ばねがハウジングとパネル２４の間に設けられている場合に起こり得る、パネル２４の右方向への急速な動きに対する抵抗を与える。ハウジング内に形成され、僅かに内部へ突出している突起物３６を有するタブは、使用者との偶然の接触によるパネルの動きを抑えるように機能する。
【０００９】
スピンドル１２および１４は、鋸歯状の末端エッジを有し、この鋸歯状の末端エッジは小さなシリンダ５０および５２それぞれの類似した鋸歯状エッジと噛み合い、連結する。シリンダ５０および５２は板５４および５６それぞれに固く取付けられている。板５４および５６は対応する回転可能ノブ２７に固く取り付けられている。通常、連結する鋸歯状エッジは、各ノブ２７の回転がスピンドル１２および１４のうちの対応する１つのスピンドルの回転を確実にもたらす助けをする。図３を参照して、長手の棒４９は、パネル２４に固く接続され、パネル２４が一方側から他方側へ動くと、ディスペンサ１１の一方側から他方側へ水平に滑動する。各位置で、この棒は、後部環状ディスク６１および６３の下で、これらディスクのくぼみの下方を滑動して、後部環状ディスク６１および６３のうち対応するディスクが回転するのを妨げる。後部環状ディスク６１および６３はスピンドル１２および１４に固く接続されているため、両環状ディスクの１つを固定すると、スピンドル１２および１４のうちの対応する１つのスピンドルが固定される。対応するノブ２７が回転すると、鋸歯状歯は互いの上を滑動し、カバー２０を外側に曲げる。
【００１０】
操作時には、１対のトイレットペーパロール１７がスピンドル１２および１４上に取付けられ、パネルは右側に完全に引き寄せられる。スピンドル１２は棒４９によって回転しないように固定され、板３８はスピンドル１４上のロールによって、そのロールが空になるまで左へ動くのを妨げられる。カバー２０が固定された状態で、スピンドル１４上のロールは下から利用することができ、スピンドルは対応するノブ２７の回転に応じて回転することができる。スピンドル１４上のロール１７が空のとき、板３８はもはやロール１７によって妨げられない。使用者は、ハンドルまたはノブ３４を引張り、パネルを左へ動かすことができる。カバー２０上の傾斜ブラケット３７は、ハンドル３４が傾斜ブラケット３７の端を通過し、ハンドルがその時点で右へ動くのを妨げられるまで、この動きに抵抗し、カバーを外側に撓ませる。ばねをパネル２４の右端とハウジング１０の右端との間に接続してパネルを右側に付勢してもよい。右側のロール１７を露出させるためにパネル２４を左に引張る間、ばねを用いてパネルを右側に付勢した場合は、使用者が偶然にパネルを放す可能性があり、次にパネルは急速に右へ引張られる。歯２６が歯車３０に係合すると、歯車は右への加速された動きに抵抗し、パネルを減速させ、それによって使用者を保護する。
【００１１】
１度に１つのロールのみを下方からのみ利用できるようにすることによってトイレットペーパの汚染の危険性が減じられる。
【００１２】
このように、この発明を例示的な実施例を参照して説明してきたが、この説明は限定という意味において理解されることを意図しない。この説明を参照すると、この発明の他の実施例とともに、例示的な実施例のさまざまな変形が当業者には明らかになるであろう。したがって、前掲の特許請求の範囲は、発明の真の範囲内であれば、如何なるこのような変形または実施例を含むものと考えられる。
【図面の簡単な説明】
【図１】ディスペンサの正面斜視図である。
【図２】カバーを開いた状態のディスペンサの正面立面図である。
【図３】ディスペンサの後部および底部を示した背面斜視図である。
【図４】後部パネル外側の部分図であり、滑動パネル支持の特徴を示す。
【図５】ディスペンサの半分の底面図であり、滑動パネルはもう半分に位置しており、スピンドルおよび前面アクチュエータを示す。
【符号の説明】
１０  ハウジング、１２  回転可能スピンドル、２０  カバー、２４  滑動可能パネル、２７  回転可能ノブ。
【図１】
2004313261.tif 000003
【図２】
2004313261.tif 000004
【図３】
2004313261.tif 000005
【図４】
2004313261.tif 000006
【図５】
2004313261.tif 000007
【外国語明細書】
2004313261.tif 000008
2004313261.tif 000009
2004313261.tif 000010
2004313261.tif 000011
2004313261.tif 000012
2004313261.tif 000013
2004313261.tif 000014
2004313261.tif 000015
2004313261.tif 000016
2004313261.tif 000017
2004313261.tif 000018
2004313261.tif 000019
2004313261.tif 000020
2004313261.tif 000021
2004313261.tif 000022